(57)【要約】【課題】複数種類の光源からなるバックライト装置を有する液晶表示装置において、光源の故障等により輝度が低下または消灯してもホワイトバランスを保つことができるようにする。【解決手段】蛍光管（ＣＣＦＬ）４とＬＥＤ５とからなるバックライト装置１２のうち、ＬＥＤの輝度が低下したり消灯したことがカラーセンサ２２によって検出された場合、ＬＥＤ５の使用／不使用をユーザがリモコン１００を操作して選択する。ＬＥＤ５の不使用が選択された場合、メインマイコン１の制御下、ＬＣＤコントローラ６が液晶パネル１１に供給する映像信号を調整し、ホワイトバランスが保たれるようにする。【選択図】図１
2008298834.tif 000002
【特許請求の範囲】
【請求項１】
液晶パネルを背面から照明する液晶表示装置であって、
前記液晶パネルに対して背面から光を照射する蛍光管と、前記液晶パネルに対して背面から光を照射するＬＥＤとを含む複数種類の光源と、
前記光源からの光を前記光源が第１の面側に載置された載置板の前記第１の面とは反対側の第２の面側に誘導する光誘導手段と、
前記光誘導手段によって前記載置板の第２の面側に誘導された前記光の色度を測定する色度測定手段と、
前記色度測定手段によって測定された前記光の色度に基づいて、前記ＬＥＤが正常に動作しているか否かを判別する判別手段と、
前記判別手段による判別結果に応じて、前記ＬＥＤの点灯および消灯を制御する制御手段と
を備えることを特徴とする液晶表示装置。
【請求項２】
前記ＬＥＤの点灯および消灯をユーザが選択するための選択手段と、
前記選択手段によってユーザが前記ＬＥＤの消灯を選択したとき、前記制御手段は、前記ＬＥＤを消灯するように制御する
ことを特徴とする請求項１に記載の液晶表示装置。
【請求項３】
前記制御手段の制御によって前記ＬＥＤが消灯されたとき、前記色度測定手段による測定結果に基づいて前記液晶パネルのホワイトバランスを調整するホワイトバランス調整手段をさらに備える
ことを特徴とする請求項１または２に記載の液晶表示装置。
【請求項４】
前記色度測定手段は、前記光源が載置される前記載置板の前記第２の面側に配置される
ことを特徴とする請求項１乃至３のいずれかに記載の液晶表示装置。
【請求項５】
液晶パネルに対して背面から光を照射する蛍光管と、前記液晶パネルに対して背面から光を照射するＬＥＤとを含む複数種類の光源と、前記光源からの光を前記光源が第１の面側に載置された載置板の前記第１の面とは反対側の第２の面側に誘導する光誘導部と、前記光誘導部によって前記載置板の第２の面側に誘導された前記光の色度を測定する色度測定部と、前記ＬＥＤの点灯および消灯を制御する制御部とを有し、前記液晶パネルを背面から照明する液晶表示装置を制御する制御方法であって、
前記制御部は、
前記色度測定部によって測定された前記光の色度に基づいて、前記ＬＥＤが正常に動作しているか否かを判別する判別ステップと、
前記判別ステップにおける判別結果に応じて、前記ＬＥＤの点灯および消灯を制御する制御ステップと
を備えることを特徴とする液晶表示装置の制御方法。
【請求項６】
前記制御部は、前記判別ステップにおいて前記ＬＥＤが正常に動作していないと判別され、かつ、ユーザによって前記ＬＥＤの消灯が指示されたとき、前記制御ステップにおいて、前記ＬＥＤを消灯するよう制御する
ことを特徴とする請求項５に記載の液晶表示装置の制御方法。
【請求項７】
前記制御ステップにおいて前記ＬＥＤが消灯されたとき、前記色度測定ステップにおける測定結果に基づいて前記液晶パネルのホワイトバランスを調整するホワイトバランス調整ステップをさらに備える
ことを特徴とする請求項５または６に記載の液晶表示装置の制御方法。
【請求項８】
液晶パネルに対して背面から光を照射する蛍光管と、前記液晶パネルに対して背面から光を照射するＬＥＤとを含む複数種類の光源と、前記光源からの光を前記光源が第１の面側に載置された載置板の前記第１の面とは反対側の第２の面側に誘導する光誘導部と、前記光誘導部によって前記載置板の第２の面側に誘導された前記光の色度を測定する色度測定部と、前記ＬＥＤの点灯および消灯を制御する制御部とを有し、前記液晶パネルを背面から照明する液晶表示装置の制御プログラムであって、
前記制御部に、
前記色度測定部によって測定された前記光の色度に基づいて、前記ＬＥＤが正常に動作しているか否かを判別する判別ステップと、
前記判別ステップにおける判別結果に応じて、前記ＬＥＤの点灯および消灯を制御する制御ステップとを実行させる
ことを特徴とする液晶表示装置の制御プログラム。
【請求項９】
前記制御部は、前記判別ステップにおいて前記ＬＥＤが正常に動作していないと判別され、かつ、ユーザによって前記ＬＥＤの消灯が指示されたとき、前記制御ステップにおいて、前記ＬＥＤを消灯するよう制御する
ことを特徴とする請求項８に記載の液晶表示装置の制御プログラム。
【請求項１０】
前記制御ステップにおいて前記ＬＥＤが消灯されたとき、前記色度測定部における測定結果に基づいて前記液晶パネルのホワイトバランスを調整するホワイトバランス調整ステップをさらに備える
ことを特徴とする請求項８または９に記載の液晶表示装置の制御プログラム。
【発明の詳細な説明】
【技術分野】
【０００１】
本発明は液晶表示装置に関し、特に、複数種類の光源によって構成されるバックライト装置を備える液晶表示装置に関するものである。
【背景技術】
【０００２】
従来、液晶表示装置に用いられるバックライト装置には、蛍光管やＬＥＤ（Light Emitting Diode）等の複数の光源を用いたものがある。このような液晶表示装置においては、要求される輝度に応じて電力効率のよい光源を選択でき、それによってそのバックライト装置に用いられるバッテリの動作可能な持続時間を長くすることができるようにしたものがある（例えば、特許文献１参照）。
また、周辺光源の状態を検出するホワイトバランス（ＷＢ）センサと、このＷＢセンサからの信号に基づいて色バランス等の調整処理等を行うＷＢ処理回路とを表示部に一体的に配置することにより、装置を小型化するとともに、より正確に周辺光の状態（色温度）を検出することができるようにして、最適な色バランス調整を行い、より正確な色再現性を実現した画像の表示を行うことができるようにしたものがある。
【特許文献１】特開２００３−１１４４１４号公報
【特許文献２】特開平１１−３５５７９７号公報
【発明の開示】
【発明が解決しようとする課題】
【０００３】
しかしながら、従来、複数の光源を用いたバックライト装置において、光源の一部が故障等により輝度が低下した場合に、その光源を使用しない設定をユーザが行うというとはできなかった。また、所定種類の光源の一部の輝度が低下したり点灯しなくなった場合にその光源を消灯し、液晶パネルに供給する信号を調整してホワイトバランスを保つという発想はなかった。
本発明はこのような状況に鑑みてなされたものであり、上記問題点を解決できる液晶表示装置を提供することを目的とする。
【課題を解決するための手段】
【０００４】
請求項１に記載の液晶表示装置は、液晶パネルを背面から照明する液晶表示装置であって、前記液晶パネルに対して背面から光を照射する蛍光管と、前記液晶パネルに対して背面から光を照射するＬＥＤとを含む複数種類の光源と、前記光源からの光を前記光源が第１の面側に載置された載置板の前記第１の面とは反対側の第２の面側に誘導する光誘導手段と、前記光誘導手段によって前記載置板の第２の面側に誘導された前記光の色度を測定する色度測定手段と、前記色度測定手段によって測定された前記光の色度に基づいて、前記ＬＥＤが正常に動作しているか否かを判別する判別手段と、前記判別手段による判別結果に応じて、前記ＬＥＤの点灯および消灯を制御する制御手段とを備えることを特徴とする。
また、前記ＬＥＤの点灯および消灯をユーザが選択するための選択手段と、前記選択手段によってユーザが前記ＬＥＤの消灯を選択したとき、前記制御手段は、前記ＬＥＤを消灯するように制御するようにすることができる。
また、前記制御手段の制御によって前記ＬＥＤが消灯されたとき、前記色度測定手段による測定結果に基づいて前記液晶パネルのホワイトバランスを調整するホワイトバランス調整手段をさらに備えるようにすることができる。
また、前記色度測定手段は、前記光源が載置される前記載置板の前記第２の面側に配置されるようにすることができる。
請求項５に記載の液晶表示装置を制御する制御方法は、液晶パネルに対して背面から光を照射する蛍光管と、前記液晶パネルに対して背面から光を照射するＬＥＤとを含む複数種類の光源と、前記光源からの光を前記光源が第１の面側に載置された載置板の前記第１の面とは反対側の第２の面側に誘導する光誘導部と、前記光誘導部によって前記載置板の第２の面側に誘導された前記光の色度を測定する色度測定部と、前記ＬＥＤの点灯および消灯を制御する制御部とを有し、前記液晶パネルを背面から照明する液晶表示装置を制御する制御方法であって、前記制御部は、前記色度測定部によって測定された前記光の色度に基づいて、前記ＬＥＤが正常に動作しているか否かを判別する判別ステップと、前記判別ステップにおける判別結果に応じて、前記ＬＥＤの点灯および消灯を制御する制御ステップとを備えることを特徴とする。
また、前記制御部は、前記判別ステップにおいて前記ＬＥＤが正常に動作していないと判別され、かつ、ユーザによって前記ＬＥＤの消灯が指示されたとき、前記制御ステップにおいて、前記ＬＥＤを消灯するよう制御するようにすることができる。
また、前記制御ステップにおいて前記ＬＥＤが消灯されたとき、前記色度測定ステップにおける測定結果に基づいて前記液晶パネルのホワイトバランスを調整するホワイトバランス調整ステップをさらに備えるようにすることができる。
請求項８に記載の液晶表示装置を制御する制御プログラムは、液晶パネルに対して背面から光を照射する蛍光管と、前記液晶パネルに対して背面から光を照射するＬＥＤとを含む複数種類の光源と、前記光源からの光を前記光源が第１の面側に載置された載置板の前記第１の面とは反対側の第２の面側に誘導する光誘導部と、前記光誘導部によって前記載置板の第２の面側に誘導された前記光の色度を測定する色度測定部と、前記ＬＥＤの点灯および消灯を制御する制御部とを有し、前記液晶パネルを背面から照明する液晶表示装置を制御する制御プログラムであって、前記制御部に、前記色度測定部によって測定された前記光の色度に基づいて、前記ＬＥＤが正常に動作しているか否かを判別する判別ステップと、前記判別ステップにおける判別結果に応じて、前記ＬＥＤの点灯および消灯を制御する制御ステップとを実行させることを特徴とする。
また、前記制御部は、前記判別ステップにおいて前記ＬＥＤが正常に動作していないと判別され、かつ、ユーザによって前記ＬＥＤの消灯が指示されたとき、前記制御ステップにおいて、前記ＬＥＤを消灯するよう制御するようにすることができる。
また、前記制御ステップにおいて前記ＬＥＤが消灯されたとき、前記色度測定部による測定結果に基づいて前記液晶パネルのホワイトバランスを調整するホワイトバランス調整ステップをさらに備えるようにすることができる。
【発明の効果】
【０００５】
本発明の液晶表示装置によれば、複数種類の光源のうち所定の種類の光源の少なくとも１つが故障等により輝度が低下したり消灯した場合、その種類の光源を消灯させて色むらをなくすことができる。さらに、液晶パネルに供給する信号を調整することによりホワイトバランスを保つようにすることができる。
【発明を実施するための最良の形態】
【０００６】
図１は、本発明が適用されるテレビジョン受像機の一実施の形態の構成例を示すブロック図である。同図に示すように、本実施の形態は、リモートコントローラ（リモコン）１００の図示しないキーが操作されることにより、リモコン１００の図示しない発光部から出射される赤外線等により送信されるキー操作に対応するコマンドやデータを受信する受光部９，１０と、後述するＬＣＤ（Liquid Crystal Display）コントローラ６、蛍光管（ＣＣＦＬ）インバータ７、制御マイコン２等の各部を制御するメインマイコン（マイクロコンピュータ）１と、メインマイコン１の制御下、後述するカラーセンサ２２からの検出信号を受け取り、この検出信号に基づいて、後述するＬＥＤ（Light Emitting Diode）ドライバ８に対して制御信号を供給し、ＬＥＤ５の駆動調整を行い、輝度等を調整する制御マイコン２と、制御マイコン２に接続され、後述する所定の基準値等の各種データを記憶するフラッシュメモリ３と、ＬＣＤコントローラ６からの制御信号に従って駆動され、図示しない受信部によって受信された所定のチャンネルの放送番組に対応する受信信号や外部機器から入力された映像信号に対応する映像等を表示する液晶パネル１１と、液晶パネル１１の背面側に設けられ、液晶パネル１１に対して背面側から光を照射する蛍光管（ＣＣＦＬ）４と、メインマイコン１の制御下、蛍光管（ＣＣＦＬ）４を駆動制御するＣＣＦＬインバータ７と、液晶パネル１１の背面側に設けられ、液晶パネル１１に対して赤色光を照射する赤色のＬＥＤ５と、制御マイコン２の制御下、ＬＥＤ５を駆動制御するＬＥＤドライバ８と、蛍光管４およびＬＥＤ５が一方の面側に載置された後述するシャーシ２６（図３）の他方の面側に設けられ、蛍光管（ＣＣＦＬ）４から出射される光と、ＬＥＤ５から出射される光を受光し、受光した光をＲ（赤）の成分、Ｇ（緑）の成分、およびＢ（青）の成分にそれぞれ分解し、各成分の輝度に対応する信号を制御マイコン２に供給するカラーセンサ２２等により構成されている。また、液晶パネル１１と、蛍光管（ＣＣＦＬ）４と、ＬＥＤ５と、カラーセンサ２２とは、液晶表示装置１３を構成し、蛍光管（ＣＣＦＬ）４とＬＥＤ５とカラーセンサ２２はバックライト装置１２を構成している。ここでは、テレビジョン受像機に必須の構成要素である受信部、選局部、および音声出力等に関わる部分は本発明とは直接関係しないためその図示および説明は省略している。
【０００７】
図２は、図１に示した液晶表示装置１３から液晶パネル１１や光学部材を取り除いた照明装置としてのバックライト装置１２の構成例を示している。図２（ａ）は、バックライト装置１２の平面図を示している。図２（ｂ）は、図２（ａ）に示したバックライト装置１２のＡ−Ａ線における断面図である。
【０００８】
図２に示すように、バックライト装置１２は、液晶パネル１１の背面に設けられた蛍光管（ＣＣＦＬ）４およびＬＥＤ５と、カラーセンサ２２等から構成されている。また、バックライト装置１２を構成するＬＥＤ５は、この例では、異なる複数の色の光を発光するのではなく、単色光（この場合、赤色光）のみを発光する赤色ＬＥＤである。ＬＥＤ５は、液晶パネル１１を背面から照らす光源として機能する。ＬＥＤ５を制御するために、上述したように、ＬＥＤドライバ８（図１）が設けられている。
【０００９】
液晶パネル１１を背面から照らす光源としては、ＬＥＤ５のみではなく、蛍光管（ＣＣＦＬ）４も設けられている。また、この蛍光管（ＣＣＦＬ）４を駆動制御するＣＣＦＬインバータ７（図１）も設けられている。
【００１０】
図２（ａ）に示すように、このバックライト装置１２は、長手方向が略同方向となるように複数の蛍光管（ＣＣＦＬ）４が平行に配設され、この蛍光管（ＣＣＦＬ）４から出射される光が液晶パネル１１の背面に照射される、いわゆる「直下型バックライト装置」とされている。
【００１１】
このバックライト装置１２には、隣接する蛍光管（ＣＣＦＬ）４の間に赤色光を出射する複数のＬＥＤ５が蛍光管（ＣＣＦＬ）４の長手方向に所定の間隔で配設されている。これは、ＬＥＤ５を用いて液晶パネル１１の背面に赤色光を照射することにより、蛍光管（ＣＣＦＬ）４から出射される光のみを液晶パネル１１の背面に照射した場合と比較して、液晶パネル１１に表示される映像の色再現性が広くなるようにするためである。即ち、蛍光管（ＣＣＦＬ）４が出射する光はやや青みがかっており、ＬＥＤ５が出射する赤色光を加えることにより、液晶パネル１１を背面から照射する光をほぼ白色光に近づけることができるからである。
【００１２】
図３は、バックライト装置１２の詳細な構成例を示す図である。同図に示すように、バックライト装置１２は、後述するシャーシ２６の前面側（液晶パネル１１が配置される側）に設けられた光源載置基板２５と、光源載置基板２５上に設けられたランプホルダ９２と、ランプホルダ９２によって保持される蛍光管（ＣＣＦＬ）４と、ＬＥＤ５と、反射板２４と、各部が固定されるシャーシ２６と、光源載置基板２５およびシャーシ２６を貫通する貫通孔２３と、遮光体２７と、カラーセンサ２２と、光源載置基板２５およびシャーシ２６等を貫通する貫通孔２３に前面側から一部が貫通し、背面側から挿嵌され、係止部３２と接合されることによって取り付けられる導光体９１と、貫通孔２３の背面に設けられたセンサ収納室３４等から構成されている。
【００１３】
導光体９１は、複数の蛍光管（ＣＣＦＬ）４を所定間隔で保持するように複数の保持部１０２を基体１０１に設けて一体成型されたものであり、保持部１０２間に蛍光管（ＣＣＦＬ）４よりも突出する突起部３１が設けられ、シャーシ２６および光源載置基板２５に撓みが生じないようになっている。また、導光体９１は、光を透過する透明色等の光伝播部材によって構成され、蛍光管（ＣＣＦＬ）４およびＬＥＤ５から出射された光を透過し、背面側に設けられたセンサ収納室３４内のカラーセンサ２２に導くようになっている。
【００１４】
センサ収納室３４は、シャーシ２６の背面側の貫通孔２３を囲む位置に、遮光体２７とセンサ基板３３とによって形成され、センサ基板３３にはカラーセンサ２２が配置されている。貫通孔２３の背面側にセンサ収納室３４が形成されることにより、光源としての蛍光管（ＣＣＦＬ）４およびＬＥＤ５から出射された光が導光体９１を透過し、貫通孔２３からセンサ収納室３４内部に導かれ、カラーセンサ２２に照射されるとともに、外部に漏光しないようになっている。
【００１５】
本実施の形態においては、色バランスのずれを正確に検出するために、光源（この場合、複数の蛍光管（ＣＣＦＬ）４と複数のＬＥＤ５）を収納することができるように所定の大きさに形成された光源載置基板２５およびシャーシ２６に、光源（この場合、複数の蛍光管（ＣＣＦＬ）４と複数のＬＥＤ５）からの光が透過することが可能なように、反射板２４、光源載置基板２５、およびシャーシ２６を貫通した貫通孔２３が設けられ、カラーセンサ２２が、光源載置基板２５およびシャーシ２６を挟んで光源側（光源を配置する光源載置基板２５の光源載置側（図３の上方向側））とは相対する側であって、上記貫通孔２３に対向する位置に配置されている。
【００１６】
このような位置に、カラーセンサ２２を配置すると、ＬＥＤ５から出射され、直接カラーセンサ２２に入射した光を検出するのではなく、ある程度、バックライト装置１２の内部を伝播し、反射板２４、光源載置基板２５、およびシャーシ２６等を貫通する貫通孔２３を通り抜けた間接的な光を検出することができるので、適度に混色した白色光における赤色、緑色、青色の光の各成分の輝度または光量を検出することが可能となる。このように、カラーセンサ２２は、透明色等の光伝播部材を透過した光を検出することが望ましいが、この例では、光伝播部材からなる導光体９１の内部を伝播する過程において、複数種（色など）の光が反射を繰り返して混合され、混色した白色光における青、緑、赤の各色の光を検出することが可能となる。
【００１７】
また、カラーセンサ２２を、光源載置基板２５、シャーシ２６、および反射板２４を挟んで光源側とは反対側に配置しているので、液晶パネル１１へ導かれる光源からの光を遮ることがない。このため、液晶パネル１１にカラーセンサ２２の影が現れるということがないようにすることができる。
【００１８】
光伝播部材は、貫通孔２３に対して設けられていることが重要であり、例えば、貫通孔２３を塞ぐように、突型形状の光伝播部材を貫通孔２３に嵌め込むような構成にすることができる。例えば、図３に示した例では、突起部３１を有する光伝播部材からなる導光体９１の一部分を貫通孔２３に挿通して上部から嵌合させるようにしている。この場合、突起部３１が光源からの光を背面側に導く機能を奏し、カラーセンサ２２へ混合光が有効に導かれるようになっている。光伝播部材からなる導光体９１は、光伝播部材からなる係止部３２によって貫通孔２３に対して下部側から係止されている。
【００１９】
ところで、ＬＥＤ５は温度によって輝度が変化しやすい。特に、赤色光を出射するＬＥＤ５は温度による影響が大きいことから、温度変化により液晶パネル１１に照射される光の色にずれが生じる場合がある。この色ずれを補正するために、図３に示すように、カラーセンサ２２を、光源載置基板２５の光源配置側とは相対する側であって、光源載置基板２５等を貫通する貫通孔２３に対向する位置に設けるようにしている。これにより、光源から生じる熱の影響を抑制することができる。
【００２０】
また、本実施の形態にかかる照明装置としてのバックライト装置１２は、光源として複数の蛍光管（ＣＣＦＬ）４を備えており、この蛍光管（ＣＣＦＬ）４の形状は、液晶表示装置１３の薄型化および大型化に適うように細管化および長管化する傾向にある。従って、蛍光管４が撓む場合が生じ、蛍光管４自体や回路部品の発熱もあって破損することもあるため、蛍光管４の両端部付近の支持に加えて、その間で蛍光管の移動を防ぐランプホルダ９２を備えている。
【００２１】
ランプホルダ９２は、一基で一本の蛍光管を保持する構成であってもよいが、本実施の形態におけるランプホルダ９２は、複数の蛍光管４を所定間隔で保持するよう複数の保持部１０２を基体１０１に設けて一体成型されている。
【００２２】
また、本実施の形態における導光体９１は、光源から出射された光を集光し、貫通孔２３を介してカラーセンサ２２に導く機能を有する。また、複数の蛍光管４を所定間隔で保持するよう複数の保持部１０２を基体１０１に設けて一体成型されている。さらに保持部１０２間に蛍光管４よりも突出する突起部３１を設けて図示しない拡散板等の光学部材の撓みが生じないような構成とされている。この導光体９１は、光学部材の撓み防止の機能に加え、上記ランプホルダ９２の形状に倣って、上述したように上記基体１０１および保持部１０２を備え、蛍光管４を保持し、蛍光管４の位置関係を所定の間隔に保つ機能も有している。
【００２３】
図３に示したように、導光体９１は、突起部３１、係止部３２を備え、これに加え、複数の保持部１０２（図面では、保持部１０２は２つ）が基体１０１と一体成型されている。そして光源から出射された光を貫通孔２３を経由してカラーセンサ２２側に導く機能を果たすため、光の透過が可能な透明のアクリル材や光ファイバー等で形成されている。
【００２４】
光源としての蛍光管４およびＬＥＤ５から出射された光が導光体９１の突起部３１によって集光され、貫通孔２３を通って係止部３２からセンサ収納室３４に導かれるが、センサ収納室３４は、この光がセンサ収納室３４から外部に漏光しないように遮光体２７とセンサ基板３３とにより取り囲まれて密閉された構成となっている。
【００２５】
一方、ランプホルダ９２も、導光体９１の係止部３２と同じような図示しない係止手段を図示しない貫通孔に挿嵌することにより取り付けられるが、ランプホルダ９２および係止手段は、光源としての蛍光管４およびＬＥＤ５からの光が液晶表示装置１３を収納する図示しないキャビネットの外部へ漏光するのを防止するために、光が透過しない色や材料で形成されている。
【００２６】
以上のように構成されたバックライト装置１２において、光源としての蛍光管４およびＬＥＤ５から発せられ、混合された光は、導光体９１の突起部３１において集光され、導光体９１の内部を伝播し、貫通孔２３を通って光源載置基板２５の背面側へと導かれ、カラーセンサ２２によって検出される。カラーセンサ２２は、赤（Ｒ）、緑（Ｇ）、青（Ｂ）のそれぞれの光の成分の強度または光量を検出し、各強度または光量に対応する検出信号を制御マイコン２に供給する。
【００２７】
即ち、カラーセンサ２２は、赤色の発光強度を検出する赤色センサ、緑色の発光強度を検出する緑色センサ、青色の発光強度を検出する青色センサから構成されている。また、カラーセンサ２２は、カラーフィルタを備え、赤色センサは、赤色の所定の波長の光を透過させる赤色フィルタを透過した光を検出し、緑色センサは、緑色の所定の波長の光を透過させる緑色フィルタを透過した光を検出し、青色センサは、青色の所定の波長の光を透過させる青色フィルタを透過した光を検出し、検出信号をそれぞれ出力するようになっている。
【００２８】
制御マイコン２は、カラーセンサ２２より供給された赤、緑、青の各光成分の強度に対応する検出信号から光の各成分（赤（Ｒ）、緑（Ｇ）、青（Ｂ））毎に発光強度を算出し、ＬＥＤ５から出射された光に対応する赤の成分の発光強度を、予めフラッシュメモリ３に記憶させておいた所定の基準値と比較し、その比較結果に基づいて各ＬＥＤ５にフィードバックをかけ、各ＬＥＤ５の発光強度を調整するようになっている。
【００２９】
即ち、制御マイコン２は、ＬＥＤ５から出射された赤色光の発光強度が所定の基準値より大きい場合、ＬＥＤドライバ８に対してＬＥＤ５の発光強度を小さくするよう指示する制御信号を供給する。一方、ＬＥＤ５から出射された赤色の発光強度が所定の基準値より小さい場合、ＬＥＤドライバ８に対してＬＥＤ５の発光強度を大きくするよう指示する制御信号を供給する。
【００３０】
図４は、バックライト装置１２において、ＬＥＤ５の使用または不使用を切り替える手順を示すフローチャートである。
【００３１】
まず、ステップＳ１において、メインマイコン１により、制御マイコン２によってＬＥＤドライバ８から出力されるＬＥＤ点灯信号が検出されたか否かが判定される。即ち、ＬＥＤドライバ８は、ＬＥＤ５の駆動時、ＬＥＤ５に対して駆動信号を供給するとともに、ＬＥＤ点灯信号を制御マイコン２に供給するようになっている。ＬＥＤ検出信号が検出されたと判定された場合、ステップＳ２に進む。一方、ＬＥＤ検出信号が検出されなかったと判定された場合、ステップＳ７に進む。
【００３２】
ステップＳ２においては、カラーセンサ２２によって受光された赤、青、緑の各色成分の光の強度（または、所定時間内に検出された光量）が計測される。次に、ステップＳ３において、計測された各色成分の光の強度（または、所定時間内に検出された光量）に基づいて、受光された光の色度が算出される。
【００３３】
ステップＳ４においては、ステップＳ３において算出された受光された光の色度と、蛍光管４およびＬＥＤ５等の複数種類の光源からなるハイブリッドバックライトとしてのバックライト装置１２のフィードバック制御の目標とされる基準色度との差分が算出され、算出された差分が一定値以内であるか否かが判定される。ここで基準色度は、白色に対応するものである。
【００３４】
その結果、上記差分が一定値以内であると判定された場合、ステップＳ５に進む。一方、上記差分が一定値以内ではないと判定された場合、ステップＳ６に進む。
【００３５】
ステップＳ５においては、メインマイコン１により、ＬＥＤ不使用モードを選択するか否かを指定するためのユーザメニューが生成され、例えば、液晶パネル１１の画面に表示される。このユーザメニューには、項目「ＬＥＤ使用モード」と、項目「ＬＥＤ不使用モード」が表示され、いずれかの項目をリモコン１００をユーザが操作することによって選択することができるようになっている。ユーザがリモコン１００を操作して、「ＬＥＤ使用モード」を選択した場合、ステップＳ１に戻り、ステップＳ１以降の処理が繰り返し実行される。一方、ユーザがリモコン１００を操作して「ＬＥＤ不使用モード」を選択した場合、ステップＳ６に進む。
【００３６】
ステップＳ６においては、メインマイコン１の制御下、制御マイコン２の制御により、ＬＥＤドライバ８はＬＥＤ５を消灯させる。その後、ステップＳ７において、メインマイコン１の制御により、液晶パネル１１の表示映像において緑（Ｇ）、青（Ｂ）を暗くする制御がなされ、ホワイトバランスの調整が行われる。これは、ＬＥＤ５が消灯されると、蛍光管４のみが光源となるため、光源の色が青みがかるためである。その後、処理を終了する。
【００３７】
このように、ＬＥＤ５の少なくとも１つが故障するなどして画面に色むらが生じ、ホワイトバランスが崩れた場合、ホワイトバランスが所定の基準範囲を超えて崩れたときにはメインマイコン１が自動でＬＥＤ５を消灯する制御を行い、ホワイトバランスが所定の基準範囲内（許容範囲内）で崩れたときには、ユーザが「ＬＥＤ不使用モード」を選択してＬＥＤ５を消灯させることができるようにしたので、画面に生じた色むらをなくすことができる。その際、ユーザの意志を反映することができる。ＬＥＤ５が消灯されると、実質的には蛍光管４のみでバックライト装置１２が構成されることになるが、液晶パネル１１の緑（Ｇ）と青（Ｂ）を暗くすることによってホワイトバランスを調整することができるので、液晶パネル１１に表示される画像が青みがかって見づらくなるということがないようにすることができる。
【００３８】
なお、上記実施の形態において、複数のカラーセンサ２２を設けるようにして、ホワイトバランスのずれを検出し、ＬＥＤ５の少なくともいずれかに異常が発生したか否かを判断するようにすることができる。例えば、液晶パネル１１を複数の矩形のブロックに分け、各ブロックにカラーセンサ２２を設けるようにすることができる。即ち、図２、図３に示したバックライト装置１２を各ブロックに設けるようにすることができる。
【００３９】
また、上記実施の形態では、ホワイトバランスが所定範囲内で崩れたとき、ＬＥＤの使用および不使用をユーザが選択するようにしたが、所定範囲内の崩れであっても、メインマイコン１の制御下、制御マイコン２が全てのＬＥＤ５を消灯する制御を自動で行うとともに、上述したホワイトバランスの調整を行うようにすることもできる。
【００４０】
また、液晶パネル１１を複数のブロックに仮想的に分割し、各ブロックに対応して複数のバックライト装置１２を液晶パネル１１の背面側に設ける場合、異常が検出されたブロックのバックライト装置１２のＬＥＤのみを消灯させ、ＬＥＤを消灯させたブロックのバックライト装置１２の輝度に他のブロックのバックライト装置１２の輝度を合わせ、ＬＥＤを消灯させたブロックのホワイトバランスの調整を行うようにすることも可能である。
【００４１】
また、上記実施の形態の構成および動作は例であって、本発明の趣旨を逸脱しない範囲で適宜変更することができることは言うまでもない。
【産業上の利用可能性】
【００４２】
本発明は、テレビジョン受像機だけでなく、バックライトを用いる各種表示装置に適用することができる。
【図面の簡単な説明】
【００４３】
【図１】本発明が適用されるテレビジョン受像機の一実施の形態の構成例を示すブロック図である。
【図２】バックライト装置の概略構成例を示す図である。
【図３】バックライト装置の詳細な構成例を示す図である。
【図４】バックライト装置において、ＬＥＤの使用または不使用を切り替える手順を示すフローチャートである。
【符号の説明】
【００４４】
１  メインマイコン
２  制御マイコン
３  フラッシュメモリ
４  蛍光管（ＣＣＦＬ）
５  ＬＥＤ
６  ＬＣＤコントローラ
７  ＣＣＦＬインバータ
８  ＬＥＤドライバ
９，１０  受光部
１１  液晶パネル
１２  バックライト装置
１３  液晶表示装置
２２  カラーセンサ
２３  貫通孔
２４  反射板
２５  光源載置基板
２６  シャーシ
２７  遮光体
３１  突起部
３２  係止部
３３  センサ基板
３４  センサ収納室
９１  導光体
９２  ランプホルダ
１０１  基体
１０２  保持部
【図１】
2008298834.tif 000003
【図２】
2008298834.tif 000004
【図３】
2008298834.tif 000005
【図４】
2008298834.tif 000006